(57)【要約】【課題】第１容器と第２容器を簡易に一体化して収容された第１及び第２物質を変質させることなく安全に保管することができる二物質混合容器を提供する。第１容器から第２物質が混合された第１物質を簡易に取出すことができる二物質混合容器を提供する。【解決手段】内部に第１物質が収容される第１容器と、内側へ押圧変形可能で、内部に突刺部を有し、内部に第２物質が収容される第２容器と、相対する第１及び第２容器のいずれかに対し、密着させられて容器の開口部を密閉する密閉シートと、一方の容器に対して他方の容器を密着して一体化する熱可塑性樹脂接着層とからなる。第２容器の上面部を押圧変形して第１容器側へ移動する突刺部により密閉シートを破断して第２容器内の第２物質を第１容器内に混入して第１物質と混合可能にする。【選択図】        図２
2006306401.tif 000002
【特許請求の範囲】
【請求項１】
開口部周縁に第１鍔部が一体形成され、第１物質を収容する第１容器と、
開口部周縁に、第１鍔部にほぼ一致して第２鍔部が一体形成され、内側へ屈曲変形可能で、内部に突刺部を有し、第２物質を収容する第２容器と、
一方の面に熱可塑性樹脂層が設けられ、該熱可塑性樹脂層に相対する第１及び第２容器のいずれかの鍔部に対して溶融する熱可塑性樹脂層により融着し、該容器の開口部を密閉する密閉シートと、密閉シートが取付けられていない他方の容器の鍔部に設けられ、一方の容器に対して他方の容器を、密閉シートを介して密着させる熱可塑性樹脂接着層と、
を備え、第２容器の上面部を内側へ屈曲変形させることにより第１容器側へ移動する突刺部により密閉シートを破断して第２容器内の第２物質を第１容器内に混入して第１物質と混合可能にする二物質混合容器。
【請求項２】
開口部周縁に第１鍔部が一体形成され、第１物質を収容する第１容器と、
開口部周縁に、第１鍔部にほぼ一致する第２鍔部及び第２鍔部の外周縁にて第１鍔部に挿嵌して係合する係合部が一体形成され、上部が内側へ屈曲変形可能で、内部に突刺部を有し、第２物質を収容する第２容器と、
一方の面に熱可塑性樹脂層が設けられ、該熱可塑性樹脂層に相対する第１及び第２容器の少なくともいずれか一方の鍔部に対し、溶融した熱可塑性樹脂層によりそれぞれ融着して各容器の開口部を密閉する密閉シートと、
を備え、第１容器の鍔部に対して第２容器の係合部を挿嵌して係合させることにより両容器を一体化可能にすると共に第２容器を内側へ屈曲変形して第１容器側へ移動する突刺部により密閉シートを破断して第２容器内の第２物質を第１容器内に混入して第１物質と混合可能にする二物質混合容器。
【請求項３】
開口部周縁に第１鍔部及び該第１鍔部の外周縁に係合部が一体形成され、第１物質を収容する第１容器と、
開口部周縁に、第１鍔部にほぼ一致する第２鍔部が一体形成され、上部が内側へ屈曲変形可能で、内部に突刺部を有し、第２物質を収容する第２容器と、
一方の面に熱可塑性樹脂層が設けられ、該熱可塑性樹脂層に相対する第１及び第２容器少なくともいずれか一方の鍔部に対し、溶融した熱可塑性樹脂層によりそれぞれ融着して容器の開口部をそれぞれ密閉する密閉シートと、
を備え、第１容器の係合部を第２容器の第２鍔部に挿嵌して係合させることにより両容器を一体化可能にすると共に第２容器を内側へ屈曲変形して第１容器側へ移動する突刺部により密閉シートを破断して第２容器内の第２物質を第１容器内に混入して第１物質と混合可能にする二物質混合容器。
【請求項４】
開口部周縁に第１鍔部が一体形成され、第１物質を収容する第１容器と、
開口部周縁に、第１鍔部にほぼ一致する第２鍔部が一体形成され、上部が内側へ屈曲変形可能で、内部に突刺部を有し、第２物質を収容する第２容器と、
一方の面に熱可塑性樹脂層が設けられ、該熱可塑性樹脂層に相対する第１及び第２容器の各鍔部に対し、溶融した熱可塑性樹脂層によりそれぞれ融着して各容器の開口部をそれぞれ密閉する第１及び第２密閉シートと、
第１容器の第１鍔部上に第２容器の第２鍔部を重ね合せた状態で、少なくとも第１及び第２鍔部を一体に固定する固定部材と、
を備え、第２容器を内側へ屈曲変形して第１容器側へ移動する突刺部により第１及び第２密閉シートを破断して第２容器内の第２物質を第１容器内に混入して第１物質と混合可能にする二物質混合容器。
【請求項５】
請求項４の固定部材は、熱可塑性接着剤、粘着材、熱収縮性フィルムのいずれかとした二物質混合容器。
【請求項６】
請求項１乃至４の第２容器は、上部に凹所を形成すると共に該凹所内面に先端鋭利な突刺部を設け、凹所により上部を内側へ屈曲変形させることにより移動する突刺部により第１及び第２密閉シートを破断可能にする二物質混合容器。
【請求項７】
請求項１乃至４において、第１及び第２物質は、固体、液体、粉体のいずれか、またはこれらの組合せとした二物質混合容器。
【発明の詳細な説明】
【技術分野】
【０００１】
本発明は、例えば食品分野、薬剤分野、医療分野等の各種分野において、保管時には異なる物質を分離して一体化した状態で保管可能にすると共に使用時には簡易な作業で物質を混合することができる二物質混合容器に関する。
【背景技術】
【０００２】
食品分野にあっては、例えば食材と調味料とを分離した状態で保管して食材の変質や風味の劣化を防止すると共に飲食時には食材に調味料を簡易、かつ手などを汚すことなく添加することが、また薬剤分野においては、例えば非使用時にＡ液とＢ液とを分離して保管することによりそれぞれの液が変質するのを防止すると共に使用時にはＡ液に対してＢ液を所定の混合比で簡易、かつ手などを汚すことなく混合することが、更に医療分野においては、例えば非使用時に脱脂綿とアルコールとを分離して保管してアルコールの蒸発を防止すると共に使用時には使用する数の脱脂綿に所定量のアルコールを簡易、かつ手等を汚すことなく含浸させてアルコール綿とすることが望まれている。
【０００３】
上記の用途に適した混合容器として、従来、例えば特許文献１に示す二成分混合容器が知られている。即ち、特許文献１に示す二成分混合容器は、有底筒状の第１の容器と、有天筒状の第２の容器と、上端部に押さえ部が内向きに突出形成された円筒状の固定用キャップとを備え、第１の容器の上端開口部を破断可能な薄膜部で封止し、上端開口部に第２の容器を冠着して上端開口部を密封し、その状態で第２の容器の下端開口部に形成された鍔部を押さえ部で上から押さえ付けるようにして固定用キャップを第１の容器に取付け、両容器１，２のいずれか一方に、栓体で着脱自在に栓された注出口を設け、第１の容器の底部もしくは第２の容器の天井部のいずれか一方を内向反転可能な可撓体で形成し、この可撓体の一部に、可撓体の内向反転時に薄膜部を破断させる凸部を設けた構造からなる。
【０００４】
そして保管時には、それぞれの成分を第１及び第２の容器に分離した状態で一体として保管することができる一方、使用時には一方の容器を変形して薄膜部を破断することにより容器内の成分を他方の容器内に混入させて二成分を所望の混合量で、かつ手等を汚すことなく混合できるようにしている。
【０００５】
しかし、特許文献１の二成分混合容器にあっては、それぞれの成分が収容された第１及び第２の容器を一体化するには、第１の容器の開口部に第２の容器を嵌めた状態で、固定用キャップの押さえ部を鍔部に押さえ付けて両者を固定する必要があり、一体化するための部品を必要とし、その結果、固定作業に手間がかかる問題を有している。
【０００６】
また、特許文献１の二成分混合容器は、主に液体等を分離して一体的に保管すると共に混合する用途に適しているが、例えば固形物である食材に液体である調味料を添加する用途にあっては、調味料が添加された食材を取出すには、固定用キャップを破断して第１及び第２の容器を分離して取出しできるようにする必要があり、その作業に手間がかかる問題をも有している。
【特許文献１】特開平７−２２３６８０号公報
【発明の開示】
【発明が解決しようとする課題】
【０００７】
解決しようとする問題点は、第１容器と第２容器を一体化するための部品を必要とし、固定作業に手間がかかる点にある。また、第１容器から第２成分が混合された第１成分を取出すのに手間がかかる点にある。
【課題を解決するための手段】
【０００８】
本発明は、内部に第１物質が収容される第１容器と、内側へ押圧変形可能で、内部に突刺部を有し、内部に第２物質が収容される第２容器と、相対する第１及び第２容器のいずれかに対し、密着させられて容器の開口部を密閉する密閉シートと、一方の容器に対して他方の容器を密着して一体化する熱可塑性樹脂接着層とからなり、第２容器の上面部を押圧変形して第１容器側へ移動する突刺部により密閉シートを破断して第２容器内の第２物質を第１容器内に混入して第１物質と混合可能にすることを特徴とする。
【発明の効果】
【０００９】
本発明は、第１容器と第２容器を簡易に一体化して収容された第１及び第２物質を変質させることなく安全に保管することができる。また、第１容器から第２物質が混合された第１物質を簡易に取出すことができる。
【発明を実施するための最良の形態】
【００１０】
本発明は、第２容器の上面部を押圧変形して第１容器側へ移動する突刺部により密閉シートを破断して第２容器内の第２物質を第１容器内に混入して第１物質と混合可能にすることを最良の形態とする。
【実施例１】
【００１１】
以下に実施例１を示す図に従って本発明を説明する。
図１〜図３において、二物質混合容器１は合成樹脂製のカップ形状からなる第１及び第２容器３・７を一体化した構造で、第１容器３の上部開口周縁には所望の幅で水平方向へ延出する第１鍔部５が一体形成されている。一方、第２容器７は可撓性を有した材質で、その下部開口周縁には第１鍔部５とほぼ一致して相対する第２鍔部９が一体形成され、該第２鍔部９の一部には所望の長さで放射方向へ突出する摘み片９ａが一体に形成されている。尚、第２鍔部９に摘み片９ａと共に、又は第１鍔部５のみに摘み片（図示せず）を設けてもよい。
【００１２】
そして第２容器７の上部中央部には第２容器７の上部を内側へ屈曲変形可能にする、例えばＶ字状またはＵ字状の凹所１１が、第２容器７の高さより若干低い深さで、半径方向へ延出するように形成され、該凹所１１の両側に位置する第２容器７の上部は、該第２容器７を屈曲変形させる際の押圧部７ａとする。この凹所１１は、図示する一文字状のほかに十文字状としてもよい。
【００１３】
上記凹所１１の底部内面には突刺部１３が、その先端が第２容器７の下端より若干上方に位置する長さで設けられている。この突刺部１３は、下向き円錐形状、高さ直交方向断面が十字形状等のいずれであってもよい。
【００１４】
また、第２容器７の下部には樹脂シート、アルミニウム箔等の金属シート、紙やこれらの複合シートからなる密閉シート１５が、下部開口を密封するように取付けられる。即ち、密閉シート１５の上面には、熱可塑性樹脂層１７がコーティング（ラミネート）され、該熱可塑性樹脂層１７を第２鍔部９の下面に相対した状態で密閉シート１５を重ね合せて加熱することにより熱可塑性樹脂層１７を溶融硬化して融着して下部開口を密閉可能にさせる。
【００１５】
尚、密閉シート１５に対する熱可塑性樹脂層１７のコーティング態様としては、密閉シート１５の上面全体、又は第２鍔部９の下面に相対する箇所のみのいずれであってもよい。
【００１６】
一方、上記した第１容器３における第１鍔部５の上面には、所望の厚さからなる熱可塑性樹脂接着層１９が予め塗布され、第１鍔部５上面に第２容器７の第２鍔部９を重ね合せた状態で加熱することにより熱可塑性樹脂接着層１９を溶融硬化して第１容器３及び第２容器７を、密閉シート１５を介して融着して一体化させる。
【００１７】
次に、上記した二物質混合容器１の使用態様を説明する。
例えば第１物質としての脱脂綿２１と第２物質としての消毒用のアルコール２３とを分離した状態で一体に収容保管すると共に使用時に脱脂綿２１にアルコール２３を含浸させた消毒用アルコール綿とする二物質混合容器１を例に説明すると、先ず、第１容器３内に、所要の大きさで、球状に丸められた複数個の脱脂綿２１を予め収容しておく。
【００１８】
一方、第２容器７内に、脱脂綿２１に含浸される所定量のアルコール２３を溜めた後、図４に示すように第２容器７の第２鍔部９下面に対し、密閉シート１５を重ね合せた状態で加熱して熱可塑性樹脂層１７を溶融硬化させて融着し、下部開口を密閉して第２容器７内にアルコール２３を密封する。
【００１９】
次に、脱脂綿２１が収容された第１容器３に対し、アルコール２３が収容された第２容器７を、第１及び第２鍔部５・９相互が一致するように重ね合せた状態でこれら鍔部５・９を加熱して第１鍔部５に塗布された熱可塑性樹脂接着層１９を溶融硬化させて第１容器３及び第２容器７を、密閉シート１５を介して密着させて一体化することにより第１容器３の上部開口を密閉して二物質混合容器１とする。
【００２０】
これにより１個の二物質混合容器１に対し、消毒用アルコール綿を構成する脱脂綿２１と、これに含浸されるアルコール２３とを密封した状態で一体に収容保管することができ、脱脂綿２１が汚染されたり、アルコール２３が蒸発するのを防止することができる。
【００２１】
そして消毒用アルコール綿とする場合には、図５に示すように二物質混合容器１における第２容器７の押圧部７ａを押圧し、凹所１１により上部を内側へ屈曲変形させることにより突刺部１３を下方へ移動して密閉シート１５を破断させる。これにより第２容器７内のアルコール２３を第１容器３内へ流入させて脱脂綿２１に含浸されることにより消毒用アルコール綿とする。
【００２２】
次に、第１容器３内の消毒用アルコール綿を取出すには、図６に示すように第２容器７の掴み片９ａを把持して第１容器３から第２容器７を切離することにより第１容器３の上部開口を開放して第１容器３内の消毒用アルコール綿を取出し可能にする。
【００２３】
本実施例は、保管時においては、消毒用アルコール綿を構成する脱脂綿２１とこれに含浸される消毒用アルコール２３とを分離した状態で一体に保管することができ、消毒用アルコール綿として使用する際の利便性に優れている。また、アルコール２３を含浸させた状態で保管する場合に比べてアルコール２３が蒸発したりするのを防止することができると共に別々に保管する場合に比べて保管場所の省スペース化を図ることができる。
【００２４】
更に、脱脂綿２１を消毒用アルコール綿として使用する際には、第２容器７の上部を内側へ屈曲変形させて密閉シート１５を破断する簡易な作業で内部に溜められた所定量のアルコール２３を第１容器３内に流入させて消毒用アルコール綿にすることができ、その際に手等を汚すおそれがない。
【００２５】
上記説明は、第２容器７の第２鍔部９に密閉シート１５を取付ける構成としたが、本発明は、第１容器３の第１鍔部５に密閉シートを取付けて上部開口を密封する構成であってもよい。
【実施例２】
【００２６】
図７及び図８において、実施例２に係る二物質混合容器３１は、実施例１と同様の第１容器３３及び第２容器３５を一体に固定した構造で、第１容器３３の上部開口周縁に一体形成された第１鍔部３７の上面には、実施例１の密閉シート１５と同様の上密閉シート３９が融着されて上部開口を密閉可能にしている。
【００２７】
また、第２容器３５の下部開口周縁に一体形成された第２鍔部４１の外周縁には所定の高さで下方に延出する係合部としてのフランジ４３が一体形成され、該フランジ４３の内周面には第１鍔部３７の外周縁が係合する突部４５が一体形成されている。該突部４５としては、フランジ４３の内周面全体に亘る単一の突部、または周方向へ適宜の間隔をおいて設けられる複数個の突部であってもよい。
【００２８】
そして第２鍔部４１の下面には実施例１の密閉シート１５と同様の下密閉シート４７が融着され、その下部開口を密閉可能にしている。また、第２容器３５の上部には実施例１の凹所１１及び突刺部１３と同様の凹所４９及び突刺部５１が一体形成されている。
【００２９】
実施例２に係る二物質混合容器３１は上記した構造からなり、先ず第１容器３３内に第１物質５３を、また第２容器３５内に第２物質５５（図においては、第１及び第２物質５３・５５とも、液体の場合として示す。）を収容した後、第１容器３３の第１鍔部３７に上密閉シート３９を融着して、また第２容器３５の第２鍔部４１に下密閉シート４７を融着してそれぞれの開口部を密閉させる。
【００３０】
そして第１容器３３の第１鍔部３７に対して第２容器３５のフランジ４３を挿嵌すると、第１容器３３の第１鍔部３７外周縁は突部４５との摺接に伴って弾性変形しながら乗り越えて係合し、第１容器３３と第２容器３５を一体に連結して１個の二物質混合容器３１において第１物質５３と第２物質５５を別々に収容保管することができる。
【００３１】
尚、第１容器３３に密閉状態で収容された第１物質５３と第２容器３５に密閉状態で収容保管された第２物質５５とを混合させる作用については、実施例１と同様であるため、その詳細な説明を省略する。
【００３２】
また、上記説明は、第１容器３３の上部開口を上密閉シート３９により、また第２容器３５の下部開口を下密閉シート４７によりそれぞれ密閉するものとしたが、第１容器３３及び第２容器３５の内、一方の容器、望ましくは鍔部にフランジが設けられていない第１容器３３の上部開口のみを密閉シートで密閉する構成であってもよい。
【実施例３】
【００３３】
図９及び図１０において、実施例３に係る二物質混合容器６１は、実施例１と同様の第１容器６３及び第２容器６５を一体に固定した構造で、第１容器６３の上部開口周縁に一体形成された第１鍔部６７の外周縁には所定の高さで下方に延出する係合部としてのフランジ６９が一体形成され、該フランジ６９の内周面には第１鍔部６７の外周縁が係合する突部７１が一体形成されている。該突部７１としては、フランジ６９の内周面全体に亘る単一の突部、または周方向へ適宜の間隔をおいて設けられる複数個の突部であってもよい。また、第１鍔部６７の上面には、実施例１の密閉シート１５と同様の上密閉シート７３が融着されて上部開口を密閉可能にしている。
【００３４】
第２容器６５の下部開口周縁に一体形成された第２鍔部７５の下面には実施例１の密閉シート１５と同様の下密閉シート７７が融着され、その下部開口を密閉可能にしている。そして第２容器６５の上部には実施例１に係る凹所１１及び突刺部１３と同様の凹所７９及び突刺部８１が一体形成されている。
【００３５】
実施例３に係る二物質混合容器６１は、第１容器６３の第１鍔部６７に係合部を設けた点において実施例２と相違し、第１容器６３と第２容器６５とを一体的に連結して固定する際に、第２容器６５の第２鍔部７５を第１容器６３のフランジ６９内に挿嵌して突部７１に係合して固定する点においてのみ実施例２と相違するものであり、他の構成及び作用については、実施例１及び２とほぼ同様であるため、図に実施例２に示す符号を付して詳細な説明を省略する。
【００３６】
また、上記説明は、第１容器６３の上部開口を上密閉シート７３により、また第２容器６５の下部開口を下密閉シート７７によりそれぞれ密閉するものとしたが、第１容器６３及び第２容器６５の内、一方の容器、望ましくは鍔部にフランジが設けられていない第２容器６５の下部開口のみを密閉シートで密閉する構成であってもよい。
【実施例４】
【００３７】
図１１及び図１２において、実施例４に係る二物質混合容器９１は、実施例１と同様の第１容器９３及び第２容器９５を一体に固定した構造で、第１容器９３の上部開口周縁に一体形成された第１鍔部９７の上面には、実施例１の密閉シート１５と同様の上密閉シート９９が融着されて上部開口を密閉可能にしている。
【００３８】
また、第２容器９５の下部開口周縁に一体形成された第２鍔部１０１の下面には実施例１の密閉シート１５と同様の下密閉シート１０３が融着され、その下部開口を密閉可能にしている。該第２容器９５の他の構成は、実施例２と同様であるため、図に実施例２に示す符号を付して詳細な説明を省略する。
【００３９】
そして第１及び第２容器９３・９５は、第１及び第２鍔部９７・１０１相互を重ね合せた状態で、熱可塑性接着剤、粘着テープ、粘着ラベル、熱収縮性フィルム等の固定手段１０５により両者を連結して一体化することにより二物質混合容器９１を構成している。図１１及び図１２は、固定手段１０５として熱収縮性フィルムを使用した場合を示す。
【００４０】
固定手段１０５を熱可塑性接着剤とする場合には、上密閉シート９９及び下密閉シート１０３の少なくともいずれか一方の面に熱可塑性接着剤を所定の厚さで予め塗布しておき、第１及び第２容器９３・９５相互を重ね合わせた状態で加熱して熱可塑性接着剤を溶融硬化させることにより固定して一体化する。また、固定手段１０５を粘着テープ又は粘着ラベルとする場合には、相互が重ね合された第１及び第２容器９３・９５の第１及び第２鍔部９７・１０１の周囲に粘着テープ又は粘着ラベルを囲巻して粘着することにより固定して一体化する。更に、固定手段１０５を熱収縮性フィルムとする場合には、相互が重ね合された第１及び第２容器９３・９５の少なくとも第１及び第２鍔部９７・１０１の周囲に熱収縮性フィルムを囲巻したり、第１及び第２容器９３・９５に対して帯状の熱収縮性フィルムを巻き付けたり、第１及び第２容器９３・９５のほぼ全体を覆うように熱収縮性フィルムを取付けた後に、該フィルムを加熱収縮させて第１及び第２容器９３・９５を強固に固定して一体化させる。
【００４１】
尚、二物質混合容器９１による第１及び第２物質を一体に収容保管する作用及びこれら第１及び第２物質を混合する作用については、実施例１及び２と同様であるため、図に実施例２と同一の符号を付してその詳細な説明を省略する。
【００４２】
また、上記説明は、第１容器９３の上部開口を上密閉シート９９により、また第２容器９５の下部開口を下密閉シート１０３によりそれぞれ密閉するものとしたが、第１容器９３及び第２容器９５の内、一方の容器の開口のみを密閉シートで密閉する構成であってもよい。
【００４３】
上記した実施例１の説明においては、第１物質を脱脂綿２１、第２物質を消毒用のアルコール２３とし、これらを分離した状態で一体に保管すると共に使用時には第２容器７の上部を内側へ屈曲変形させることにより密閉シート１５を破断して脱脂綿２１にアルコール２３を含浸させて消毒用アルコール綿とする場合を例に説明したが、本発明においては、第１容器に収容される第１物質及び第２容器に収容される第２物質は、上記例に限定されるものではなく、使用する用途に応じて適宜選択されるものである。例えば食材と調味料、調味料と調味料、例えば二液硬化型接着剤にあっては主剤と硬化剤、発泡樹脂にあっては主剤と発泡剤等のように、固形物、液体（粘性液体を含む。）、粒状物、粉体物等のいずれであってもよいことは勿論である。
【図面の簡単な説明】
【００４４】
【図１】二物質混合容器の全体斜視図である。
【図２】図１の中央縦断面図である。
【図３】第２容器の内部を示す斜視図である。
【図４】第２容器内に第２物質を密封した状態を示す説明図である・
【図５】密閉シートの破断状態を示す説明図である。
【図６】第１容器から第２容器を切り離す状態を示す説明図である。
【図７】実施例２に係る二物質混合容器の分解斜視図である。
【図８】図７の中央縦断面図である。
【図９】実施例３に係る二物質混合容器の分解斜視図である。
【図１０】図９の中央縦断面図である。
【図１１】実施例４に係る二物質混合容器の分解斜視図である。
【図１２】図１１の中央縦断面図である。
【符号の説明】
【００４５】
１  二物質混合容器
３  第１容器
５  第１鍔部
７  第２容器
９  第２鍔部
１１  凹所
１３  突刺部
１５  密閉シート
１７  熱可塑性樹脂層
１９  熱可塑性接着層
２１  第１物質としての脱脂綿
２３  第２物質としての消毒用アルコール
【図１】
2006306401.tif 000003
【図２】
2006306401.tif 000004
【図３】
2006306401.tif 000005
【図４】
2006306401.tif 000006
【図５】
2006306401.tif 000007
【図６】
2006306401.tif 000008
【図７】
2006306401.tif 000009
【図８】
2006306401.tif 000010
【図９】
2006306401.tif 000011
【図１０】
2006306401.tif 000012
【図１１】
2006306401.tif 000013
【図１２】
2006306401.tif 000014